(57)【要約】      （修正有）【課題】便利に携帯でき、かつ、装飾的な役割を果たす充電及びデータ伝送機能を有する吊紐を提供する。【解決手段】充電及びデータ伝送機能を有する吊紐は、データ線１０、ベース部２０、回転可能に前記ベース部２０に連結されているデータコネクタ３０及びＵＳＢコネクタ５０を含み、前記データコネクタ３０及びベース部２０の間には位置決め空き槽を設ける。又、前記データ線１０の一端は前記データコネクタ３０に連結されており、該データ線１０の他端は湾曲かつ逆転されて前記位置決め空き槽の一端から前記位置決め空き槽の他端まで貫通した後、ＵＳＢコネクタ５０に連結されている。【選択図】図１
0003162114.tif 000002
【実用新案登録請求の範囲】
【請求項１】
データ線（１０）、ベース部（２０）、回転可能に前記ベース部（２０）に連結されているデータコネクタ（３０）及びＵＳＢコネクタ（５０）を含む充電及びデータ伝送機能を有する吊紐であって、前記データコネクタ（３０）及びベース部（２０）の間に位置決め空き槽（２１１）が設けられ、前記データ線（１０）の一端は前記データコネクタ（３０）に連結されており、該データ線（１０）の他端は湾曲かつ逆転されて前記位置決め空き槽（２１１）の一端から前記位置決め空き槽（２１１）の他端まで貫通した後、ＵＳＢコネクタ（５０）に連結されていることを特徴とする充電及びデータ伝送機能を有する吊紐。
【請求項２】
前記ベース部（２０）は基板（２１）を備え、該基板（２１）の内側には当該基板（２１）を貫通する位置決め空き槽（２１１）が設けられていることを特徴とする請求項１に記載の充電及びデータ伝送機能を有する吊紐。
【請求項３】
前記データコネクタ（３０）の前記ベース部（２０）付近側には、当該データコネクタ（３０）を貫通する位置決め空き槽（２１１）が設けられていることを特徴とする請求項１に記載の充電及びデータ伝送機能を有する吊紐。
【請求項４】
前記ベース部（２0）は基板（２１）を備え、基板（２１）の両側には２つの側板（２２）が延ばして形成され、それぞれの側板（２２）には第一枢着孔（２２１）が設けられ、前記データコネクタ（３０）は、旋回フレーム（３１）、当該旋回フレーム（３１）を覆う上部カバー（３２）、及び前記旋回フレーム（３１）と上部カバー（３２）の間に配置されている接続部（３３）を含み、旋回フレーム（３１）の両側には、第一枢着孔（２２１）とそれぞれ枢着される外部に突出する第一枢着部（３１８）が外側へ突出して形成されていることを特徴とする請求項１に記載の充電及びデータ伝送機能を有する吊紐。
【請求項５】
前記接続部（３３）は、旋回フレーム（３１）及び上部カバー（３２）の間に挟まれる第一基部（３３１）を備え、第一基部（３３１）の一端には、旋回フレーム（３１）から突出している第一タングプレート（３３２）が形成されていることを特徴とする請求項４に記載の充電及びデータ伝送機能を有する吊紐。
【請求項６】
前記ベース部（２０）には回転可能な保護カバー（４０）が設けられ、前記データコネクタ（３０）には、前記ベース部（２０）に収納されるように第一タングプレート（３３２）が形成され、前記保護カバー（４０）は第一タングプレート（３３２）を覆う保護板（４１）を備えることを特徴とする請求項１に記載の充電及びデータ伝送機能を有する吊紐。
【請求項７】
前記ベース部（２０）は基板（２１）を備え、基板（２１）の両側には、上方へ延びる２つの側板（２２）が形成され、それぞれの側板（２２）には第二枢着孔（２２２）が設けられ、前記保護板（４１）の両側にはそれぞれ下方へ延びる２つの連結部（４２）が形成され、連結部（４２）には第二枢着孔（２２２）とそれぞれ枢着される２つの第二枢着部（４３）が突出して形成されていることを特徴とする請求項６に記載の充電及びデータ伝送機能を有する吊紐。
【請求項８】
前記ＵＳＢコネクタ（５０）上には保護カバー（６０）が設置され、前記ＵＳＢコネクタ（５０）は第二基部（５１）を備え、第二基部（５１）には第二タングプレート（５２）及び当該第二タングプレート（５２）と異なる平面に位置する弾性アーム（５３）が突出して形成され、該弾性アーム（５３）の自由端には係合部（５３１）が延ばして形成され、前記保護カバー（６０）は中空かつ開口が前記ＵＳＢコネクタ（５０）に向かうケーシングであり、該保護カバー（６０）の内壁には固着孔（６２）が設けられ、前記第二タングプレート（５２）は保護カバー（６０）内に収納され、前記係合部（５３１）は固定孔（６２）と係合し、かつ、前記弾性アーム（５３）は該内壁に当接されていることを特徴とする請求項１に記載の充電及びデータ伝送機能を有する吊紐。
【考案の詳細な説明】
【技術分野】
【０００１】
本考案は充電及びデータ伝送機能を有する装置に関し、特に、充電及びデータ伝送機能を有する吊紐に関する。
【背景技術】
【０００２】
通常、携帯電話、ＭＰ３・ＭＰ４、デジタルカメラ、デジタルビデオカメラなどのデジタル携帯装置は内装されている充電電池により給電され、携帯装置に充電する必要がある場合、通常、充電器を利用して携帯装置に充電することにより引き続き利用が可能になる。また、デジタル携帯装置はデータ線を介してコンピュータやそれ以外の装置とデータ交換が可能になっている。しかし、従来の充電器の線及びデータ交換用のデータ線は長過ぎて、整理及び携帯するに不便であり、常に携帯することができなく、紛失しやすいと言う問題点があった。また、従来の充電又はデータ伝送機能を有するものとしては電線が使用されており、その構造が簡単でユーザ側の美観的な要求が満足できない問題点があり、従来の吊紐は装飾的な役割のみ果たし、充電又はデータ伝送の機能を持っていなかった。
【考案の概要】
【考案が解決しようとする課題】
【０００３】
本考案は、上記した技術問題を解決するためになされ、充電及びデータ伝送機能を有すると共に、便利に携帯でき、かつ、装飾的な役割を果たす吊紐を提供することを課題とする。
【課題を解決するための手段】
【０００４】
上記の課題を解決するために、本考案の充電及びデータ伝送機能を有する吊紐は、データ線、ベース部、回転可能に前記ベース部に連結されているデータコネクタ及びＵＳＢコネクタを含み、前記データコネクタ及びベース部の間には位置決め空き槽が設けられ、前記データ線の一端は前記データコネクタに連結されており、データ線の他端は湾曲かつ逆転されて前記位置決め空き槽の一端から前記位置決め空き槽の他端まで貫通した後、ＵＳＢコネクタに連結されている。
また、前記ベース部は基板を備え、該基板の内側には当該基板を貫通する位置決め空き槽が設けられている。
また、前記データコネクタの前記ベース部付近の一端には、当該データコネクタを貫通する位置決め空き槽が設けられている。
【０００５】
また、前記ベース部は基板を備え、基板の両側には２つの側板が延ばして形成され、それぞれの側板には第一枢着孔が設けられ、前記データコネクタは旋回フレーム、当該旋回フレームを覆う上部カバー、及び前記旋回フレームと上部カバーの間に配置されている接続部を含み、旋回フレームの両側には、第一枢着孔とそれぞれ枢着される外部に突出する第一枢着部が延ばして形成されている。
【０００６】
また、前記接続部は、旋回フレーム及び上部カバーの間に挟まれる第一基部を備え、第一基部の一端には、旋回フレームから突出している第一タングプレートが形成されている。
【０００７】
また、前記充電及びデータ伝送機能を有する吊紐は、ベース部に回転可能に連結されている保護カバーを更に含み、前記データコネクタには、前記ベース部に収納されるように第一タングプレートが形成され、前記保護カバーは第一タングプレートを覆う保護板を備える。
【０００８】
また、前記ベース部は基板を備え、基板の両側には、上方へ延びる２つの側板が形成され、それぞれの側板には第二枢着孔が設けられ、前記保護板の両側にはそれぞれ下方へ延びる２つの連結部が形成され、連結部には第二枢着孔とそれぞれ枢着される２つの第二枢着部が突出して形成されている。
【０００９】
また、前記ＵＳＢコネクタ上には保護カバーが設置され、前記ＵＳＢコネクタは第二基部を備え、第二基部には第二タングプレート及び当該第二タングプレートと異なる平面に位置する弾性アームが突出して形成され、該弾性アームの自由端には係合部が延ばして形成され、前記保護カバーは中空かつ開口が前記ＵＳＢコネクタに向かうケーシングであり、該保護カバーの内壁には固定孔が設けられ、前記第二タングプレートは該保護カバー内に収納され、前記係合部は固定孔と係合し、かつ、前記弾性アームは該内壁に当接されている。
【考案の効果】
【００１０】
上記のほうに、本考案の充電及びデータ伝送機能を有する吊紐によれば、ベース部とデータコネクタの間に位置決め空き槽を設け、データ線の一端がデータコネクタに連結され、データ線の他端が湾曲かつ逆転されて前記位置決め空き槽の一端から前記位置決め空き槽の他端まで貫通した後、ＵＳＢコネクタに連結されている。従って、ベース部の一端に吊紐構造が形成され、便利に携帯でき、かつ、装飾的な役割を果たす。
【図面の簡単な説明】
【００１１】
【図１】本考案の実施例１を示す立体図である。
【図２】図１に示す本考案のデータコネクタの分解図である。
【図３】図１に示す本考案のベース部の立体図である。
【図４】図１に示す本考案の保護カバーの立体図である。
【図５】図１に示す本考案の上部カバーの立体図である。
【図６】図１に示す本考案のＵＳＢコネクタ及び保護カバーを取り付ける前の立体図である。
【図７】図１に示す本考案の使用状態を示す立体図である。
【考案を実施するための形態】
【００１２】
本考案の特徴、技術手段、及び具体的な目的、機能をもっと理解させるために、下記において、図面と合わせて具体的に説明する。
【００１３】
図１に示すように、本考案の充電及びデータ伝送機能を有する吊紐１は、扁平長尺状のデータ線１０、ベース部２０、データ線１０の一端に連結され、かつ、回転可能にベース部２０内に収納されているデータコネクタ３０、ベース部２０の一端に枢着されている保護カバー４０、データ線の他端に連結されているＵＳＢコネクタ５０、ＵＳＢコネクタ５０を被る保護カバー６０及び保護カバー（６０）に連結されているひも７０を含む。
【００１４】
図１及び図３に示すように、前記ベース部２０は略矩形の基板２１を備え、前記基板２１の２つの相対側には上方へ延びる２つの相対する側板２２が形成されている。前記基板２１及び２つの相対する側板２２により囲まれて１つの収納空間２３が形成される。前記基板２１の上表面には、略矩形であってかつ前記基板２１を貫通する位置決め空き槽２１１が設けられている。前記側板２２の２つの相対する端部には、それぞれ第一枢着孔２２１、及び当該第一枢着孔２２１より若干高くてかつ間隔をあけている第二枢着孔２２２が設けられている。
【００１５】
図１、図２，及び図５に示すように、前記データコネクタ３０は前記ベース部２０の収納空間２３の一端に収納され、かつ、回転可能に前記ベース部２０の一端に連結されている旋回フレーム３１と、旋回フレーム３１を覆う上部カバー３２と、前記上部カバー３２と旋回フレーム３１の間に位置する接続部３３を含む。前記旋回フレーム３１は略矩形の底板３１１を備え、前記底板３１１の両側には上方へ延びる２つの相対する第一側壁３１２が形成されている。前記底板３１１の前端には、上方へ向かって円弧状に延びることにより前記２つの側壁３１２を連結する第一前板３１３が形成されている。前記第一前板３１３の上端には、下方に凹む略矩形の第一凹部３１３１が形成されている。前記旋回フレーム３１の左前端には上方へ突出する筒状の係合部３１４が設けられている。前記第一側壁３１２の内壁は内部へ突出して第一挟持ブロック３１５及び当該第一挟持ブロック３１５の前端に位置する第一ストッパ３１６が形成され、前記第一挟持ブロック３１５及び前記第一ストッパ３１６の間に略矩形の第一収納槽３１７が形成されている。前記第一側壁３１２の外側には、第一枢着孔２２１と対応する第一枢着部３１８が外部へ突出するように形成されている。前記上部カバー３２は略矩形の、前記底板３１１と対応する上板３２１を備える。前記上板３２１の両側では、２つの対向しかつ前記第一側壁３１２とそれぞれ対応する第二側壁３２２が下方へ延びて形成されている。前記上板３２１の前端には、下方へ向かって円弧状に延びることにより前記２つの対向する第二側壁３２２を連結し、かつ、前記第一前板３１３と対応する第二前板３２３が形成されている。前記第二前板３２３の底端は上方へ凹んで略矩形になるように、かつ、第一凹部３１３１と対応するように第二凹部３２３１が形成されている。前記上部カバー３２の一端には、前記旋回フレーム３１の係合部３１４と対応する係合槽３２４が形成されている。前記第二側壁３２２の内壁には内部に突出して第二挟持ブロック３２５及び当該第二挟持ブロック３２５の前端に位置する第二ストッパ３２６が形成され、前記第二挟持ブロック３２５及び前記第二ストッパ３２６の間に略矩形の第二収納槽３２７が形成されている。前記接続部３３は略矩形の第一基部３３１を備え、第一基部３３１の中部は後方へ突出して第一タングプレート３３２が形成されている。前記第一基部３３１の両側の前端は内側に凹んで２つの対向する挟持槽３３３を形成し、それと対応して、第一基部３３１の後端にそれぞれ２つの固定部３３４が形成されている。
【００１６】
図１及び図４に示すように、前記保護カバー４０は略矩形の保護板４１を備える。前記保護板４１の両側の後端は下方へ湾曲かつ延びて２つの対向する略円弧状の連結部４２を形成する。前記連結部４２の外側は外部へ延びて前記第二枢着孔２２２と対応する第二枢着部４３を形成する。
【００１７】
図１〜図５に示すように、組立てる際に、前記上部カバー３２で旋回フレーム３１を覆った後、接続部３３の前端を旋回フレーム３１及び上部カバー３２での間に位置させる。前記固定部３３４の下部は第一収納槽３１７に収納され、その両端部はそれぞれ第一挟持ブロック３１５及び第一ストッパ３１６に当接される。前記固定部３３４の上部は第二収納槽３２７に収納され、その両端部はそれぞれ第二挟持ブロック３２５及び第二ストッパ３２６に当接される。また、前記第一挟持ブロック３１５及び第二挟持ブロック３２５は対応する挟持槽３３３内に収納される。前記係合部３１４は、前記係合槽３２４内に係合されることにより、上部カバー３２をより安定的に旋回フレーム３１上に係合させるようになる。前記旋回フレーム３１の第一凹部３１３１及び前記上部カバー３２の第二凹部３２３１により１つの連結口（図示せず）が形成される。前記データコネクタ３０はベース部２０の前端に枢着され、前記旋回フレーム３１の第一枢着部３１８はベース部２０の第一枢着孔２２１に枢着され、前記底板３１１は前記基板２１の位置決め空き槽２１１の上方に位置する。前記保護カバー４０は前記ベース部２０の後端に枢着され、前記第二枢着部４３は第二枢着孔２２２に枢着され、前記連結部４２はそれぞれ前記２つの側板２２の内壁の内側に位置し、前記保護板４１の前縁は前記上部カバー３２の上板３２１の後縁に当接され、かつ、前記第一タングプレート３３２覆うことにより第一タングプレート３３２を保護する役割を果たす。
【００１８】
図１及び図６に示すように、前記ＵＳＢコネクタ５０は略矩形の第二基部５１を備え、前記第二基部５１の中部には後方へ突出して平板状の第二タングプレート５２が形成されている。更に、第二タングプレート５２と平行しかつその上方に位置する弾性アーム５３が前記第二基部５１の後方へ突出して形成されている。前記弾性アーム５３の自由端は上方へ湾曲かつ延びて、第二基部５１の上表面より若干高くなるように係合部５３１が形成する。前記保護カバー６０は中空かつ開口が前方に向かっているケーシングであり、これにより、保護カバー６０の中には開口が前方に向かう収納空間６１が形成されている。前記保護カバー６０の上壁の前端には、係合部５３１と対応するように略矩形の固定孔６２が形成されている。前記ひも７０は保護カバー６０の後端に連結され、紛失を防止し、かつ、装飾的な役割を果たす。組立てる際に、第二タングプレート５２が収納空間６１内に差し込まれ、係合部５３１が保護カバー６０の上壁の前縁に当接される。第二タングプレート５２が続いて収納空間６１の内部に差し込まれ、弾性アーム５３は下方へ移動されながら保護カバー６０の上壁に当接され、係合部５３１が固定孔６２に差し込まれる。それと共に、第二タングプレート５２も収納空間６１内に完全に収納され、外部からの破壊から保護されるようになる。
【００１９】
図１〜図６に示すように、非使用状況では、前記データ線１０の一端はデータコネクタ３０の連結口を通じて前記接続部３３の後端に連結されている。前記データ線１０の他端は、下方へ湾曲しかつ逆転された後に前記ベース部２０の一端から位置決め空き槽２１１内に差し込まれ、その後、前記位置決め空き槽２１１を貫通してベース部２０の他端からＵＳＢコネクタ５０の前端に連結され、これにより、データ線１０はベース部２０の一端において吊紐の構造を形成し、従って、便利に携帯でき、紛失を防止し、かつ、装飾的な役割を果たす。また、前記データ線１０は設計上において工夫することにより、装飾的なパターン又は形状を持つように設計されることにより、更なる装飾的な役割を果たすことができる。
【００２０】
図２〜図７に示すように、使用する際には、ベース部２０を前方へ押し、位置決め空き槽２１１がデータ線１０上で前方へスライドし、ＵＳＢコネクタ５０とベース部２０の間におけるデータ線１０が徐々に長くなり、かつ、データ線１０のベース部２０他端側の長さは徐々に短くなり、データ線１０における連結口と位置決め空き槽２１１の端口の間の長さが最短長さになる。この状態で、データ線１０はほぼ直線になり、ユーザは便利に使用することが可能になる。その後、保護カバー４０を時計回りに回転させ、第一タングプレート３３２が保護カバー４０に覆われないようにする。その後、旋回フレーム３１を反時計回りに回転させることにより、データコネクタ３０の他の部品が旋回フレーム３１と共に回転されるようになり、ユーザの要望する角度で便利に使用することが可能になる。
【００２１】
前記に説明したように、本考案の充電及びデータ伝送機能を有する吊紐１は、ベース部２０及びデータコネクタ３０の間に位置決め空き槽２１１を設けることにより、データ線１０の一端がデータコネクタ３０に連結されており、該データ線１０の他端は湾曲かつ逆転されて前記位置決め空き槽２１１の一端から前記位置決め空き槽２１１の他端まで貫通した後、ＵＳＢコネクタ５０に連結されている。これにより、データ線１０はベース部２０の一端において吊紐構造を形成し、ユーザにより便利に携帯でき、かつ、装飾的な役割を果たす。
【００２２】
前記に説明した内容は本考案の１つの実施例であり、その具体的な説明が本考案の保護範囲を制限することにはならない。この分野の技術者に取って、本考案の技術思想内における変形例、例えば、ＵＳＢコネクタ５０を他の種類のデータコネクタにしたり、前記データコネクタ３０の底板３１１の前記ベース部２０付近側に前記底板３１１の対向する両端を貫通する位置決め空き槽２１１を設けたりすることも本考案の保護範囲内である。従って、本考案の保護範囲は請求項に書かれた範囲である。
【図１】
0003162114.tif 000003
【図２】
0003162114.tif 000004
【図３】
0003162114.tif 000005
【図４】
0003162114.tif 000006
【図５】
0003162114.tif 000007
【図６】
0003162114.tif 000008
【図７】
0003162114.tif 000009